(57)【特許請求の範囲】
【請求項１】
押されることによってエアゾール製品の内容物の噴射を行うステムと、前記内容物を収納する容器に取り付けられるマウンティングカップとを備えたエアゾールバルブと組み合わせて使用されるワンタッチキャップであって、
前記容器および前記マウンティングカップの少なくとも一方に取り付けられるカバー部と、前記カバー部が前記容器および前記マウンティングカップの少なくとも一方に取り付けられた状態で前記ステムが延在する方向であるステム延在方向に利用者の指で押されることによって前記ステムを押すボタン部と、前記ステム延在方向に延在した一対の壁部を備えていて前記一対の壁部によって前記ボタン部を保護するキャップ部と、前記ボタン部および前記カバー部を連結する変形可能な連結部とを備えており、
前記ボタン部は、前記一対の壁部の間に収納されており、
前記キャップ部は、前記一対の壁部を連結して前記ボタン部に対して前記ステム延在方向に配置されたボタン対向部を備えており、
前記ワンタッチキャップは、それぞれ合成樹脂の一体成形品であって互いに連結されている第１部品および第２部品の少なくとも２つの部品から構成されており、
前記第１部品は、前記ボタン部を含んでおり、
前記第２部品は、前記ボタン対向部を含んでいることを特徴とするワンタッチキャップ。
【請求項２】
前記キャップ部は、未使用状態で前記ボタン部が押されることを防止するために前記ボタン部を覆うバージンシール部を備えており、
前記ボタン対向部は、前記バージンシール部の少なくとも一部を含んでいることを特徴とする請求項１に記載のワンタッチキャップ。
【請求項３】
前記ボタン部は、前記バージンシール部に対して前記ステム延在方向に配置された表面の少なくとも一部に、前記指が滑ることを防止するための滑り止め部を備えており、
前記滑り止め部は、前記ステム延在方向の凹凸によって形成されていることを特徴とする請求項２に記載のワンタッチキャップ。
【請求項４】
前記第１部品および前記第２部品は、合成樹脂の弾性変形を利用した引っ掛かりによって互いに連結されていることを特徴とする請求項１から請求項３までの何れかに記載のワンタッチキャップ。
【請求項５】
前記第１部品および前記第２部品は、互いに異なる色の合成樹脂によって形成されていることを特徴とする請求項１から請求項４までの何れかに記載のワンタッチキャップ。
【請求項６】
請求項１から請求項５までの何れかに記載のワンタッチキャップと、前記容器と、前記容器に取り付けられた前記エアゾールバルブとを備えており、
前記ワンタッチキャップの前記カバー部は、前記容器および前記マウンティングカップの少なくとも一方に取り付けられていることを特徴とするエアゾール製品。
【発明の詳細な説明】
【技術分野】
【０００１】
本発明は、エアゾール製品に使用されるワンタッチキャップに関する。
【背景技術】
【０００２】
従来、エアゾール製品に使用されるワンタッチキャップとして、押されることによってエアゾール製品の内容物の噴射を行うステムと、エアゾール製品の内容物を収納する容器に取り付けられるマウンティングカップとを備えたエアゾールバルブに取り付けられるワンタッチキャップが知られている（特許文献１参照。）。このワンタッチキャップは、マウンティングカップに取り付けられるカバー部と、カバー部がマウンティングカップに取り付けられた状態でステムが延在する方向であるステム延在方向に利用者の指で押されることによってステムを押すボタン部と、ステム延在方向に延在した一対の壁部を備えていてこの一対の壁部によってボタン部を保護するキャップ部と、ボタン部およびキャップ部を連結する変形可能な連結部とを備えている。このワンタッチキャップのボタン部は、キャップ部の一対の壁部の間に収納されている。また、このワンタッチキャップのキャップ部は、一対の壁部を連結してボタン部に対してステム延在方向に配置されたボタン対向部を備えている。
【先行技術文献】
【特許文献】
【０００３】
【特許文献１】特開２０１１−２２５２３６号公報
【発明の概要】
【発明が解決しようとする課題】
【０００４】
しかしながら、従来のワンタッチキャップは、キャップ部がボタン対向部を備えており、カバー部、ボタン部、キャップ部および連結部が合成樹脂の一体成形品で形成されているので、この一体成型品を成形するための金型として、キャビティーおよびコア以外に、スライド部材が必要である。すなわち、カバー部、ボタン部、キャップ部および連結部の一体成形品を成形するための金型は、キャビティーに対するコアの抜き方向をワンタッチキャップにおけるステム延在方向にすると、ボタン部と、ボタン対向部との互いに対向する表面の形状を生成するために、コアの抜き方向に対して直交する方向に抜くスライド部材が必要である。特に、ボタン部のうちボタン対向部に対向する表面と、ボタン対向部のうちボタン部に対向する表面との少なくとも一方に特殊な形状を生成する場合、複雑なスライド部材が必要である。したがって、従来のワンタッチキャップは、カバー部、ボタン部、キャップ部および連結部の一体成形品を成形するための金型の構造が複雑であり、そのために成形時の金型の調整が難しいという問題がある。
【０００５】
そこで、本発明は、従来より容易に製造されることができるワンタッチキャップを提供することを目的とする。
【課題を解決するための手段】
【０００６】
本発明のワンタッチキャップは、押されることによってエアゾール製品の内容物の噴射を行うステムと、前記内容物を収納する容器に取り付けられるマウンティングカップとを備えたエアゾールバルブと組み合わせて使用されるワンタッチキャップであって、前記容器および前記マウンティングカップの少なくとも一方に取り付けられるカバー部と、前記カバー部が前記容器および前記マウンティングカップの少なくとも一方に取り付けられた状態で前記ステムが延在する方向であるステム延在方向に利用者の指で押されることによって前記ステムを押すボタン部と、前記ステム延在方向に延在した一対の壁部を備えていて前記一対の壁部によって前記ボタン部を保護するキャップ部と、前記ボタン部および前記キャップ部を連結する変形可能な連結部とを備えており、前記ボタン部は、前記一対の壁部の間に収納されており、前記キャップ部は、前記一対の壁部を連結して前記ボタン部に対して前記ステム延在方向に配置されたボタン対向部を備えており、前記ワンタッチキャップは、それぞれ合成樹脂の一体成形品であって互いに連結されている第１部品および第２部品の少なくとも２つの部品から構成されており、前記第１部品は、前記ボタン部を含んでおり、前記第２部品は、前記ボタン対向部を含んでいることを特徴とする。
【０００７】
この構成により、本発明のワンタッチキャップは、ボタン部を含んでいる第１部品と、ボタン対向部を含んでいる第２部品との少なくとも２つの部品から構成されているので、部品を成形する金型として、ボタン部と、ボタン対向部との互いに対向する表面の形状を生成するためのスライド部材を従来より簡素化または不要化することができる。すなわち、本発明のワンタッチキャップは、部品を成形する金型の構造を従来より簡素化することができる。したがって、本発明のワンタッチキャップは、従来より容易に製造されることができる。
【０００８】
また、本発明のワンタッチキャップにおいて、前記キャップ部は、未使用状態で前記ボタン部が押されることを防止するために前記ボタン部を覆うバージンシール部を備えており、前記ボタン対向部は、前記バージンシール部の少なくとも一部を含んでいても良い。
【０００９】
この構成により、本発明のワンタッチキャップは、未使用状態でボタン部が押されることを防止するためにキャップ部のボタン対向部のバージンシール部がボタン部を覆っているので、ボタン部と、ボタン対向部との互いに対向する表面の面積が大きい。したがって、本発明のワンタッチキャップは、ボタン部と、ボタン対向部との互いに対向する表面の形状を生成するためのスライド部材を簡素化または不要化することができるメリットが大きい。
【００１０】
また、本発明のワンタッチキャップにおいて、前記ボタン部は、前記バージンシール部に対して前記ステム延在方向に配置された表面の少なくとも一部に、前記指が滑ることを防止するための滑り止め部を備えており、前記滑り止め部は、前記ステム延在方向の凹凸によって形成されていても良い。
【００１１】
この構成により、本発明のワンタッチキャップは、バージンシール部と、ステム延在方向においてバージンシール部に対向する滑り止め部とを別々の部品で構成しているので、バージンシール部を備えていても、部品を成形する金型の構造が複雑化することを抑えつつ、ステム延在方向の凹凸によって形成されている滑り止め部がボタン部に容易に成形されることができる。
【００１２】
また、本発明のワンタッチキャップにおいて、前記第１部品および前記第２部品は、合成樹脂の弾性変形を利用した引っ掛かりによって互いに連結されていても良い。
【００１３】
この構成により、本発明のワンタッチキャップは、第１部品および第２部品の連結に接着剤が使用される必要がなく、第１部品および第２部品が容易に連結されることができる。
【００１４】
また、本発明のワンタッチキャップにおいて、前記第１部品および前記第２部品は、互いに異なる色の合成樹脂によって形成されていても良い。
【００１５】
この構成により、本発明のワンタッチキャップは、第１部品および第２部品が製造者の手作業によって連結される場合に、第１部品および第２部品が製造者によって視覚的に容易に識別されることができるので、容易に製造されることができる。
【００１６】
本発明のエアゾール製品は、上記ワンタッチキャップと、前記容器と、前記容器に取り付けられた前記エアゾールバルブとを備えており、前記ワンタッチキャップの前記カバー部は、前記容器および前記マウンティングカップの少なくとも一方に取り付けられていることを特徴とする。
【００１７】
この構成により、本発明のエアゾール製品は、ワンタッチキャップが従来より容易に製造されることができるので、従来より容易に製造されることができる。
【発明の効果】
【００１８】
本発明のワンタッチキャップは、従来より容易に製造されることができる。
【図面の簡単な説明】
【００１９】
【図１】本発明の第１の実施の形態に係るエアゾール製品の一部破断右側面図であって、ワンタッチキャップの近傍の図である。
【図２】（ａ）は、図１に示すワンタッチキャップの右側面図である。（ｂ）は、図１に示すワンタッチキャップの右側面断面図である。
【図３】（ａ）は、図１に示すワンタッチキャップの平面図である。（ｂ）は、図１に示すワンタッチキャップの底面図である。
【図４】（ａ）は、図１に示すワンタッチキャップの正面図である。（ｂ）は、図２（ｂ）のＩ−Ｉ矢視断面図である。
【図５】図１に示すワンタッチキャップの背面図である。
【図６】図１に示す第１部品の平面図である。
【図７】図１に示す第２部品の底面図である。
【図８】バージンシール部が引き千切られた場合の図１に示すエアゾール製品の一部破断右側面図であって、ワンタッチキャップの近傍の図である。
【図９】バージンシール部が引き千切られた場合の図１に示すワンタッチキャップの平面図である。
【図１０】射出成形時の図１に示す第１部品の右側面断面図である。
【図１１】射出成形時の図１に示す第２部品の右側面断面図である。
【図１２】（ａ）は、本発明の第２の実施の形態に係るエアゾール製品のワンタッチキャップの右側面図である。（ｂ）は、図１２（ａ）に示すワンタッチキャップの右側面断面図である。
【図１３】（ａ）は、図１２に示すワンタッチキャップの平面図である。（ｂ）は、図１２に示すワンタッチキャップの底面図である。
【図１４】（ａ）は、図１２に示すワンタッチキャップの正面図である。（ｂ）は、図１２（ｂ）のＩＩ−ＩＩ矢視断面図である。
【図１５】図１２に示すワンタッチキャップの背面図である。
【図１６】図１２に示す第１部品の平面図である。
【図１７】図１２に示す第２部品の底面図である。
【図１８】射出成形時の図１２に示す第１部品の右側面断面図である。
【図１９】射出成形時の図１２に示す第２部品の右側面断面図である。
【発明を実施するための形態】
【００２０】
以下、本発明の実施の形態について、図面を用いて説明する。
【００２１】
（第１の実施の形態）
まず、本実施の形態に係るエアゾール製品の構成について説明する。
【００２２】
図１は、本実施の形態に係るエアゾール製品１０の一部破断右側面図であって、ワンタッチキャップ４０の近傍の図である。
【００２３】
図１に示すように、エアゾール製品１０は、内容物を収納する容器２０と、容器２０に取り付けられたエアゾールバルブ３０と、エアゾールバルブ３０と組み合わせて使用される合成樹脂製のワンタッチキャップ４０とを備えている。
【００２４】
エアゾールバルブ３０は、押されることによってエアゾール製品１０の内容物の噴射を行うステム３１と、容器２０に取り付けられるマウンティングカップ３２とを備えている。
【００２５】
図２（ａ）は、ワンタッチキャップ４０の右側面図である。図２（ｂ）は、ワンタッチキャップ４０の右側面断面図である。図３（ａ）は、ワンタッチキャップ４０の平面図である。図３（ｂ）は、ワンタッチキャップ４０の底面図である。図４（ａ）は、ワンタッチキャップ４０の正面図である。図４（ｂ）は、図２（ｂ）のＩ−Ｉ矢視断面図である。図５は、ワンタッチキャップ４０の背面図である。
【００２６】
図１〜図５に示すように、ワンタッチキャップ４０は、マウンティングカップ３２に取り付けられる円筒状のカバー部５０と、カバー部５０がマウンティングカップ３２に取り付けられた状態でステム３１が延在する方向である矢印３１ａで示すステム延在方向に利用者の指で押されることによってステム３１を押すボタン部６０と、ボタン部６０を保護するキャップ部７０と、ボタン部６０およびキャップ部７０を連結する変形可能な連結部８０とを備えている。
【００２７】
カバー部５０は、マウンティングカップ３２に合成樹脂の弾性変形を利用した引っ掛かりによって連結される４本の爪部５１を備えている。すなわち、カバー部５０にマウンティングカップ３２が挿入される場合、カバー部５０の爪部５１がマウンティングカップ３２に乗り上げることによってカバー部５０が一時的に弾性変形するので、図１に示すようにカバー部５０にマウンティングカップ３２が挿入されることができる。マウンティングカップ３２およびカバー部５０の状態が図１に示す状態である場合、カバー部５０の爪部５１がマウンティングカップ３２に引っ掛かることによって、マウンティングカップ３２およびカバー部５０は容易に分離しない。
【００２８】
ボタン部６０は、ステム３１によって噴射された内容物の噴射を行う噴射口６０ａが形成されている。ボタン部６０は、後述のバージンシール部７３に対して矢印３１ａで示すステム延在方向に配置された表面に、利用者の指が滑ることを防止するための滑り止め部６１を備えている。滑り止め部６１は、矢印３１ａで示すステム延在方向の凹凸によって形成されている。
【００２９】
キャップ部７０は、矢印３１ａで示すステム延在方向に延在した一対の壁部７１と、一対の壁部７１を連結してボタン部６０に対して矢印３１ａで示すステム延在方向に配置されたボタン対向部７２と、未使用状態でボタン部６０が押されることを防止するためにボタン部６０を覆うバージンシール部７３とを備えている。一対の壁部７１は、間にボタン部６０を収納していることによって、ボタン部６０を保護している。ボタン対向部７２は、バージンシール部７３の一部を含んでいる。バージンシール部７３は、壁部７１に連結して使用時に引き千切られる薄肉部７３ａを備えている。
【００３０】
ワンタッチキャップ４０は、それぞれ合成樹脂の一体成形品であって互いに連結されている第１部品４１および第２部品４２から構成されている。第１部品４１および第２部品４２は、互いに異なる色の合成樹脂によって形成されている。
【００３１】
第１部品４１は、カバー部５０と、ボタン部６０と、キャップ部７０の壁部７１の一部と、連結部８０とを含んでいる。
【００３２】
第２部品４２は、キャップ部７０の壁部７１の一部と、ボタン対向部７２と、バージンシール部７３とを含んでいる。
【００３３】
図６は、第１部品４１の平面図である。図７は、第２部品４２の底面図である。
【００３４】
図４（ｂ）および図６に示すように、第１部品４１は、第２部品４２と連結するための一対の穴４１ａが形成されている。また、図４（ｂ）および図７に示すように、第２部品４２は、第１部品４１の穴４１ａに挿入されて第１部品４１と連結するための一対の爪部４２ａが形成されている。すなわち、第１部品４１および第２部品４２は、合成樹脂の弾性変形を利用した引っ掛かりによって互いに連結されている。
【００３５】
次に、エアゾール製品１０の使用方法について説明する。
【００３６】
エアゾール製品１０は、図１〜図５に示すようにワンタッチキャップ４０のバージンシール部７３が引き千切られていない場合、利用者によってボタン部６０が押されることをバージンシール部７３が防止するので、ボタン部６０が押されてステム３１を介してボタン部６０の噴射口６０ａから容器２０の内容物が噴射されることがない。
【００３７】
図８は、バージンシール部７３が引き千切られた場合のエアゾール製品１０の一部破断右側面図であって、ワンタッチキャップ４０の近傍の図である。図９は、バージンシール部７３が引き千切られた場合のワンタッチキャップ４０の平面図である。
【００３８】
エアゾール製品１０は、図８および図９に示すようにワンタッチキャップ４０のバージンシール部７３が引き千切られると、利用者によってボタン部６０が押されることが可能になる。したがって、エアゾール製品１０は、利用者によってボタン部６０が押されることによって、ステム３１を介してボタン部６０の噴射口６０ａから容器２０の内容物が噴射される。
【００３９】
なお、エアゾール製品１０は、利用者によってボタン部６０が押される場合、ボタン部６０に形成された滑り止め部６１によって、利用者の指が滑ることを防止することができる。
【００４０】
次に、ワンタッチキャップ４０の製造方法について説明する。
【００４１】
図１０は、射出成形時の第１部品４１の右側面断面図である。
【００４２】
図１０に示すように、第１部品４１を一体成形するための金型９０は、キャビティー９１と、キャビティー９１に対する抜き方向がワンタッチキャップ４０における矢印３１ａで示すステム延在方向であるコア９２と、コア９２の抜き方向に対して直交する矢印９０ａで示す方向に抜くスライド部材９３とを備えている。
【００４３】
金型９０が図１０に示すように組み合わされた状態で、キャビティー９１、コア９２およびスライド部材９３によって形成された空間内に、加熱されて軟化した合成樹脂が射出されて充填される。そして、合成樹脂が冷えて硬化した後で、キャビティー９１に対してコア９２、スライド部材９３がそれぞれ矢印３１ａ、９０ａに示す方向に抜かれることによって、第１部品４１が製造される。
【００４４】
図１１は、射出成形時の第２部品４２の右側面断面図である。
【００４５】
図１１に示すように、第２部品４２を一体成形するための金型１００は、キャビティー１０１と、キャビティー１０１に対する抜き方向がワンタッチキャップ４０における矢印３１ａで示すステム延在方向であるコア１０２とを備えている。
【００４６】
金型１００が図１１に示すように組み合わされた状態で、キャビティー１０１およびコア１０２によって形成された空間内に、加熱されて軟化した合成樹脂が射出されて充填される。そして、合成樹脂が冷えて硬化した後で、キャビティー１０１に対してコア１０２が矢印３１ａに示す方向に抜かれることによって、第２部品４２が製造される。
【００４７】
以上のようにして製造された第１部品４１および第２部品４２は、第２部品４２の爪部４２ａが第１部品４１の穴４１ａに挿入されることによって互いに連結され、ワンタッチキャップ４０として完成される。すなわち、第１部品４１の穴４１ａに第２部品４２の爪部４２ａが挿入される場合、第１部品４１のうち穴４１ａが形成されている部分に第２部品４２の爪部４２ａが乗り上げることによって爪部４２ａが一時的に弾性変形するので、図４（ｂ）に示すように第１部品４１の穴４１ａに第２部品４２の爪部４２ａが挿入されることができる。第１部品４１および第２部品４２の状態が図４（ｂ）に示す状態である場合、第２部品４２の爪部４２ａが第１部品４１に引っ掛かることによって、第１部品４１および第２部品４２は容易に分離しない。
【００４８】
以上に説明したように、ワンタッチキャップ４０は、ボタン部６０を含んでいる第１部品４１と、キャップ部７０のボタン対向部７２を含んでいる第２部品４２とから構成されているので、部品を成形する金型として、ボタン部６０と、ボタン対向部７２との互いに対向する表面の形状を生成するためのスライド部材を不要化することができる。すなわち、ワンタッチキャップ４０は、部品を成形する金型の構造を従来より簡素化することができる。したがって、ワンタッチキャップ４０は、従来より容易に製造されることができる。また、エアゾール製品１０は、ワンタッチキャップ４０が従来より容易に製造されることができるので、従来より容易に製造されることができる。
【００４９】
ワンタッチキャップ４０は、本実施の形態において、第１部品４１および第２部品４２という２つの部品から構成されているが、第１部品４１および第２部品４２に加えて他の部品を備えていても良い。
【００５０】
ワンタッチキャップ４０は、本実施の形態において、第１部品４１を成形する金型９０として、ボタン部６０のうちキャップ部７０のボタン対向部７２と対向する表面の形状を生成するためのスライド部材を不要化することができていた。しかしながら、第１部品４１の形状によっては、第１部品４１を成形する金型９０として、ボタン部６０のうちボタン対向部７２と対向する表面の形状を生成するためのスライド部材を不要化することができない場合もある。この場合であっても、ワンタッチキャップ４０は、第１部品４１にボタン対向部７２が含まれていないので、ボタン部６０のうちボタン対向部７２と対向する表面の形状を生成するためのスライド部材を従来より簡素化することができる。
【００５１】
第１部品４１は、第２部品４２以外の部品と連結されることによって、ワンタッチキャップ４０とは異なるワンタッチキャップを構成することができる。同様に、第２部品４２は、第１部品４１以外の部品と連結されることによって、ワンタッチキャップ４０とは異なるワンタッチキャップを構成することができる。すなわち、第１部品４１および第２部品４２は、ワンタッチキャップ４０の専用の部品として使用される必要はない。
【００５２】
ワンタッチキャップ４０は、未使用状態でボタン部６０が押されることを防止するためにキャップ部７０のボタン対向部７２のバージンシール部７３がボタン部６０を覆っているので、ボタン部６０と、ボタン対向部７２との互いに対向する表面の面積が大きい。したがって、ワンタッチキャップ４０は、ボタン部６０と、ボタン対向部７２との互いに対向する表面の形状を生成するためのスライド部材を簡素化または不要化することができるメリットが大きい。
【００５３】
ワンタッチキャップ４０は、バージンシール部７３と、矢印３１ａで示すステム延在方向においてバージンシール部７３に対向する滑り止め部６１とを別々の部品で構成しているので、バージンシール部７３を備えていても、部品を成形する金型の構造が複雑化することを抑えつつ、矢印３１ａで示すステム延在方向の凹凸によって形成されている滑り止め部６１がボタン部６０に容易に成形されることができる。
【００５４】
ワンタッチキャップ４０は、第１部品４１および第２部品４２が合成樹脂の弾性変形を利用した引っ掛かりによって互いに連結されているので、第１部品４１および第２部品４２の連結に接着剤が使用される必要がなく、第１部品４１および第２部品４２が容易に連結されることができる。なお、第１部品４１および第２部品４２は、連結に接着剤が使用されても良い。
【００５５】
ワンタッチキャップ４０は、第１部品４１および第２部品４２が互いに異なる色の合成樹脂によって形成されているので、第１部品４１および第２部品４２が製造者の手作業によって連結される場合に、第１部品４１および第２部品４２が製造者によって視覚的に容易に識別されることができる。したがって、ワンタッチキャップ４０は、容易に製造されることができる。
【００５６】
また、ワンタッチキャップ４０は、第１部品４１および第２部品４２が互いに異なる色の合成樹脂によって形成されているので、意匠性が向上するとともに、視覚的に需要者の注意を向けさせることができる。
【００５７】
なお、第１部品４１および第２部品４２は、同一の色の合成樹脂によって形成されていても良い。
【００５８】
（第２の実施の形態）
まず、本実施の形態に係るエアゾール製品の構成について説明する。
【００５９】
本実施の形態に係るエアゾール製品の構成のうち、以下に述べる構成以外の構成については、第１の実施の形態に係るエアゾール製品１０（図１参照。）の構成と同様である。本実施の形態に係るエアゾール製品の構成のうち、エアゾール製品１０の構成と同様な構成については、エアゾール製品１０の構成と同一の符号を付して、詳細な説明を省略する。
【００６０】
本実施の形態に係るエアゾール製品の構成は、エアゾール製品１０がワンタッチキャップ４０（図２〜図５参照。）に代えて図１２〜図１５に示すワンタッチキャップ１４０を備えた構成と同様である。
【００６１】
図１２（ａ）は、ワンタッチキャップ１４０の右側面図である。図１２（ｂ）は、ワンタッチキャップ１４０の右側面断面図である。図１３（ａ）は、ワンタッチキャップ１４０の平面図である。図１３（ｂ）は、ワンタッチキャップ１４０の底面図である。図１４（ａ）は、ワンタッチキャップ１４０の正面図である。図１４（ｂ）は、図１２（ｂ）のＩＩ−ＩＩ矢視断面図である。図１５は、ワンタッチキャップ１４０の背面図である。
【００６２】
図１２〜図１５に示すように、ワンタッチキャップ１４０は、それぞれ合成樹脂の一体成形品であって互いに連結されている第１部品１４１および第２部品１４２から構成されている。第１部品１４１および第２部品１４２は、互いに異なる色の合成樹脂によって形成されている。
【００６３】
第１部品１４１は、カバー部５０と、ボタン部６０と、連結部８０とを含んでいる。
【００６４】
第２部品１４２は、キャップ部７０を含んでいる。
【００６５】
図１６は、第１部品１４１の平面図である。図１７は、第２部品１４２の底面図である。
【００６６】
図１４（ｂ）および図１６に示すように、第１部品１４１は、第２部品１４２と連結するための一対の溝１４１ａが形成されている。また、図１４（ｂ）および図１７に示すように、第２部品１４２は、第１部品１４１の溝１４１ａに挿入されて第１部品１４１と連結するための一対の爪部１４２ａが形成されている。すなわち、第１部品１４１および第２部品１４２は、合成樹脂の弾性変形を利用した引っ掛かりによって互いに連結されている。
【００６７】
次に、ワンタッチキャップ１４０の製造方法について説明する。
【００６８】
図１８は、射出成形時の第１部品１４１の右側面断面図である。
【００６９】
図１８に示すように、第１部品１４１を一体成形するための金型１９０は、キャビティー１９１と、キャビティー１９１に対する抜き方向がワンタッチキャップ１４０における矢印３１ａで示すステム延在方向であるコア１９２と、コア１９２の抜き方向に対して直交する矢印１９０ａで示す方向に抜くスライド部材１９３とを備えている。
【００７０】
金型１９０が図１８に示すように組み合わされた状態で、キャビティー１９１、コア１９２およびスライド部材１９３によって形成された空間内に、加熱されて軟化した合成樹脂が射出されて充填される。そして、合成樹脂が冷えて硬化した後で、キャビティー１９１に対してコア１９２、スライド部材１９３がそれぞれ矢印３１ａ、１９０ａに示す方向に抜かれることによって、第１部品１４１が製造される。
【００７１】
図１９は、射出成形時の第２部品１４２の右側面断面図である。
【００７２】
図１９に示すように、第２部品１４２を一体成形するための金型２００は、キャビティー２０１と、キャビティー２０１に対する抜き方向がワンタッチキャップ１４０における矢印３１ａで示すステム延在方向であるコア２０２とを備えている。
【００７３】
金型２００が図１９に示すように組み合わされた状態で、キャビティー２０１およびコア２０２によって形成された空間内に、加熱されて軟化した合成樹脂が射出されて充填される。そして、合成樹脂が冷えて硬化した後で、キャビティー２０１に対してコア２０２が矢印３１ａに示す方向に抜かれることによって、第２部品１４２が製造される。
【００７４】
以上のようにして製造された第１部品１４１および第２部品１４２は、第２部品１４２の爪部１４２ａが第１部品１４１の溝１４１ａに挿入されることによって互いに連結され、ワンタッチキャップ１４０として完成される。すなわち、第１部品１４１の溝１４１ａに第２部品１４２の爪部１４２ａが挿入される場合、第１部品１４１に第２部品１４２の爪部１４２ａが乗り上げることによって爪部１４２ａが一時的に弾性変形するので、図１４（ｂ）に示すように第１部品１４１の溝１４１ａに第２部品１４２の爪部１４２ａが挿入されることができる。第１部品１４１および第２部品１４２の状態が図１４（ｂ）に示す状態である場合、第２部品１４２の爪部１４２ａが第１部品１４１に引っ掛かることによって、第１部品１４１および第２部品１４２は容易に分離しない。
【００７５】
本実施の形態に係るエアゾール製品およびワンタッチキャップ１４０は、第１の実施の形態に係るエアゾール製品１０およびワンタッチキャップ４０と同様の作用効果を得ることができる。
【００７６】
なお、上述の各実施の形態において、カバー部５０は、マウンティングカップ３２に取り付けられるようになっているが、マウンティングカップ３２ではなく容器２０に取り付けられるようになっていても良いし、容器２０およびマウンティングカップ３２の両方に取り付けられるようになっていても良い。
【符号の説明】
【００７７】
１０  エアゾール製品
２０  容器
３０  エアゾールバルブ
３１  ステム
３２  マウンティングカップ
４０  ワンタッチキャップ
４１  第１部品
４２  第２部品
５０  カバー部
６０  ボタン部
６１  滑り止め部
７０  キャップ部
７１  壁部
７２  ボタン対向部
７３  バージンシール部
８０  連結部
１４０  ワンタッチキャップ
１４１  第１部品
１４２  第２部品
【図１】
0005914125.tif 000002
【図２】
0005914125.tif 000003
【図３】
0005914125.tif 000004
【図４】
0005914125.tif 000005
【図５】
0005914125.tif 000006
【図６】
0005914125.tif 000007
【図７】
0005914125.tif 000008
【図８】
0005914125.tif 000009
【図９】
0005914125.tif 000010
【図１０】
0005914125.tif 000011
【図１１】
0005914125.tif 000012
【図１２】
0005914125.tif 000013
【図１３】
0005914125.tif 000014
【図１４】
0005914125.tif 000015
【図１５】
0005914125.tif 000016
【図１６】
0005914125.tif 000017
【図１７】
0005914125.tif 000018
【図１８】
0005914125.tif 000019
【図１９】
0005914125.tif 000020